(57)【要約】【課題】保育園や幼稚園において、園児の描いた絵画等の作品を簡易的に展示するのに適した軽易で軽便な簡易展示パネルを提供することを目的とする。【解決手段】２以上の板状部材を折り畳み自在に連接し、該板状部材の１面又は両面に透明性を有する収納部材を複数付設してなるようにした。また、２以上の板状部材を折り畳み自在に連接し、該板状部材に透明性を有する収納部材を複数付設した可撓性材料からなるシート状部材を着脱自在に掛着してなるようにした。【選択図】　図１
2004049333.tif 000002
【特許請求の範囲】
【請求項１】
２以上の板状部材を折り畳み自在に連接し、該板状部材の１面又は両面に透明性を有する収納部材を複数付設してなることを特徴とする簡易展示パネル。
【請求項２】
２以上の板状部材を折り畳み自在に連接し、該板状部材に透明性を有する収納部材を複数付設した可撓性材料からなるシート状部材を着脱自在に掛着してなることを特徴とする簡易展示パネル。
【請求項３】
前記板状部材は、発泡樹脂材料又は木材からなることを特徴とする請求項１又は２記載の簡易展示パネル。
【請求項４】
前記発泡樹脂材料は、発泡ポリスチレン樹脂であることを特徴とする請求項３記載の簡易展示パネル。
【請求項５】
前記板状部材は、補強部材が埋設されていることを特徴とする請求項１〜４のいずれか１項記載の簡易展示パネル。
【請求項６】
前記収納部材は、透明プラスチック材料からなることを特徴とする請求項１〜５のいずれか１項記載の簡易展示パネル。
【請求項７】
透明プラスチック材料は、透明ポリエチレン樹脂又は透明アクリル樹脂であることを特徴とする請求項６記載の簡易展示パネル。
【発明の詳細な説明】
【０００１】
【発明の属する技術分野】
本発明は、保育園や幼稚園において、園児が描いた絵画、書画、或いは作文等の作品を簡易に展示するための簡易展示パネルに関する。
【０００２】
【関連技術】
従来、保育園や幼稚園において、園児が描いた絵画等の作品を展示するためには、例えば、図４（ａ）に示した如く、園児の作品Ｄの裏面をセロハンテープやビニールテープ等の粘着テープＴ１，Ｔ２により連続的に縦列して貼着し、これを教室の壁や窓等の適当な場所に吊設して、作品の展示を行っている。
【０００３】
しかし、このような方法で園児の作品を長時間に亘って展示していると、図４（ｂ）に示した如く、作品Ｄが反って丸まってきてしまい、体裁の良い展示を行うことが困難であり、特に、画用紙に水彩画が描かれている場合等にその傾向が顕著である。
【０００４】
一般的に、絵画等の作品を展示するための種々の展示パネルが販売されてはいるが、高価で重厚長大なものが多く、保育園や幼稚園において、園児の作品を簡易的に展示する用途に供するのには不向きである。
【０００５】
【発明が解決しようとする課題】
本発明は、上記問題点に鑑みてなされたものであり、保育園や幼稚園において、園児の描いた絵画等の作品を簡易的に展示するのに適した軽易で軽便な簡易展示パネルを提供することを目的とする。
【０００６】
【課題を解決するための手段】
上記課題を解決するために、本発明の第１の態様の簡易展示パネルは、２以上の板状部材を折り畳み自在に連接し、該板状部材の１面又は両面に透明性を有する収納部材を複数付設してなることを特徴とする。
【０００７】
また、本発明の第２の態様の簡易展示パネルは、２以上の板状部材を折り畳み自在に連接し、該板状部材に透明性を有する収納部材を複数付設したシート状部材を着脱自在に掛着してなることを特徴とする。
【０００８】
前記板状部材は、発泡樹脂材料又は木材からなることが好適である。発泡樹脂材料としては、発泡ポリスチレン樹脂（いわゆる発泡スチロール）が利用できる。発泡スチロールは安価に入手できるし、材質が柔らかいので、園児が不注意で衝突したとしても安全だからである。木材としては、いわゆるベニヤ板等を利用できる。ベニヤ板も安価に入手できて取り扱い易いし、金属等に比べて安全だからである。
【０００９】
前記板状部材は、補強部材が埋設されていることが好ましい。板状部材が反り返ったりして変形するのを防止するためであり、これにより、板状部材の形状が長期間安定し、見栄えの良い展示を行うことができる。補強部材としては、金属材料、木材又はプラスチック材料等を棒状に形成したものが利用できる。
【００１０】
前記収納部材は、透明プラスチック材料からなることが好適である。ガラス等の透明材料よりも安全だからである。
【００１１】
透明プラスチック材料は、透明ポリエチレン樹脂、透明アクリル樹脂であることが好適である。安価に入手可能であるからである。
【００１２】
【発明の実施の形態】
以下に本発明の実施の形態を添付図面に基づいて説明するが、本発明の技術思想から逸脱しない限りこれらの実施の形態について種々の変更又は変形が可能なことは言うまでもない。
【００１３】
図１は、本発明の第１の態様の簡易展示パネルを示す概念説明図である。同図において、符号２は、本発明の第１の態様の簡易展示パネルである。簡易展示パネル２は、発泡スチロール製の板状部材４ａ，４ｂ，４ｃ，４ｄ，４ｅ，４ｆを連接してなっている。なお、板状部材４ａ〜４ｆの各々のサイズは、例えば、厚さ１〜１．５ｃｍ程度で、高さ１８００ｍｍ×幅１３５０ｍｍ程度とすることができる。
【００１４】
即ち、板状部材４ａの右側縁と、板状部材４ｂの左側縁との間における蝶着部５ａにおいて両者を蝶着する。同じように、板状部材４ｂと板状部材４ｃの間における蝶着部５ｂ、板状部材４ｃと板状部材４ｄの間における蝶着部５ｃ、板状部材４ｄと板状部材４ｅの間における蝶着部５ｄ、板状部材４ｅと板状部材４ｆの間における蝶着部５ｅにおいても蝶着する。蝶着は例えば蝶番等により行えばよい。
【００１５】
また、この場合において、蝶着部５ａでは前方に回動可能に蝶着し、蝶着部５ｂでは後方に回動可能に蝶着し、蝶着部５ｃでは前方に回動可能に蝶着し、蝶着部５ｄでは後方に回動可能に蝶着し、蝶着部５ｅでは前方に回動可能に蝶着する。つまり、蝶着部５ａ〜５ｅにおける回動方向が、交互に前方又は後方となるようにする。これにより、簡易展示パネル２は折り畳み自在となり、簡易展示パネル２を広げて展示の用に供する際には、安定して立設できるし、また、不使用の際には、折り畳んで片付け易い。
【００１６】
なお、図示例では、板状部材４ａ〜４ｆを６枚とした場合を説明したが、適宜、必要に応じた枚数の板状部材を連接すればよいことは言うまでもない。但し、板状部材は最低限２以上を連接する必要がある。板状部材が１枚では、簡易展示パネル２を安定して立設できないからである。
【００１７】
板状部材４ａ〜４ｆの前面には、透明性を有する収納部材６が複数付設されている。収納部材６は、透明プラスチック材料からなり、例えば、透明ポリエチレン樹脂、透明アクリル樹脂、等が利用できる。なお、図示しないが、板状部材４ａ〜４ｆの背面にも同様に収納部材６が複数付設されている。
【００１８】
この収納部材６は、上方に開口するように両側縁部と底縁部のみを接着剤で板状部材４ａ〜４ｆに対して接着する等して、袋状（ポケット状）に形成し、収納部材６によって園児の作品Ｄを収納保持できるように構成されている。
【００１９】
このように構成された収納部材６に、園児の描いた絵画等の作品Ｄを収納部材６に収納することとすれば、従来の作品展示の態様〔図４（ｂ）参照〕のように作品Ｄが反って丸まる等の不具合を生じることなく、園児の作品Ｄを体裁良く展示することができるようになる。
【００２０】
なお、図示例では、収納部材６を板状部材４ａ〜４ｆの夫々の前面に対して、１０個（２列×５段）を付設した例を示したが、適宜必要に応じた個数の収納部材６を付設すればよいことは言うまでもない。板状部材４ａ〜４ｆの夫々の背面についても同様である。
【００２１】
図２は、補強部材を埋設した板状部材を示す概念説明図である。板状部材４には、補強部材８ａ，８ｂ，８ｃ，８ｄ，８ｅが埋設されている。補強部材８ａ〜８ｅは、金属材料、木材又はプラスチック材料等からなる棒状体である。補強部材８ａ〜８ｅにより、板状部材が反り返ったりして変形するのが防止され、長期に亘り、板状部材の形状が安定し、見栄えの良い展示を行うことができるようになる。
【００２２】
図３は、本発明の第２の態様の簡易展示パネルを示し、（ａ）はシート状部材を拡げた状態、（ｂ）はシート状部材を逆Ｕ字状に折曲した状態、（ｃ）はシート状部材を板状部材に掛着した状態を示す概念説明図である。図中、符号１０はシート状部材であり、符号２ａは本発明の第２の態様の簡易展示パネルである。なお、板状部材４が蝶着部５において蝶着されて連接されることは、本発明の第１の態様の簡易展示パネルの場合（図１参照）と同様であるので再度の説明は省略する。
【００２３】
シート状部材１０は、可撓性を有する材料からなり、例えば、プラスチックフィルム等を利用する。このシート状部材１０に対して、収納部材６を複数付設する。即ち、収納部材６が板状部材４に掛着した際に上方に開口するように、収納部材６の両側縁部と底縁部のみを接着剤でシート状部材１０に対して接着する等して、袋状（ポケット状）に形成し、収納部材６によって園児の作品Ｄを収納保持できるように構成される。また、シート状部材１０の中央部分は、逆Ｕ字状に折曲できるように折曲部１２となっている。
【００２４】
このように構成されたシート状部材１０の収納部材６に園児の描いた絵画等の作品を収納した後〔図３（ａ）〕、シート状部材１０の折曲部１２において、逆Ｕ字状に折曲し〔図３（ｂ）〕、その状態で、シート状部材１０を板状部材４に跨がせるようにして、シート状部材１０の折曲部１２を板状部材４の上端部に引っ掛けて掛着する〔図３（ｃ）〕。
【００２５】
なお、図示例では、シート状部材１０に対して収納部材６を１６個〔２列×片面４段（両面で８段）〕付設した場合を示したが、例えば、幅の狭いシート状部材１０に対して収納部材６を８個〔１列×片面４段（両面で８段）〕付設するようにしてもよい。
【００２６】
【発明の効果】
以上述べた如く、本発明によれば、保育園や幼稚園において、園児の描いた絵画等の作品を簡易的に展示するのに適した軽易で軽便な簡易展示パネルを提供することができるという大きな効果を奏する。
【図面の簡単な説明】
【図１】本発明の第１の態様の簡易展示パネルを示す概念説明図である。
【図２】補強部材を埋設した板状部材を示す概念説明図である。
【図３】本発明の第２の態様の簡易展示パネルを示し、（ａ）はシート状部材を拡げた状態、（ｂ）はシート状部材を逆Ｕ字状に折曲した状態、（ｃ）はシート状部材を板状部材に掛着した状態を示す概念説明図である。
【図４】従来の保育園等における作品展示の態様を示す概念説明図であり、（ａ）は正面図、（ｂ）はその平面図である。
【符号の説明】
２，２ａ：簡易展示パネル、４，４ａ，４ｂ，４ｃ，４ｄ，４ｅ，４ｆ：板状部材、５，５ａ，５ｂ，５ｃ，５ｄ，５ｅ：蝶着部、６：収納部材、８ａ，８ｂ，８ｃ，８ｄ，８ｅ：補強部材、１０：シート状部材、１２：折曲部、Ｄ：園児の作品、Ｔ１，Ｔ２：粘着テープ。
【図１】
2004049333.tif 000003
【図２】
2004049333.tif 000004
【図３】
2004049333.tif 000005
【図４】
2004049333.tif 000006